(57)【要約】【課題】安価で汗を吸い取ることが可能な汗取りベストを提供すること。【解決手段】上半身に着るための汗取りベストであって、着衣した際、肩部４を境に前側に配置される前面部２と、着衣した際、肩部を境に後側に配置される後面部３と、着衣する際に頭及び首を挿入するために、前面部２から後面部３にわたって形成された挿入部５とを備え、前面部２と後面部３は、肩部４において繋がっており、脇部２１、３１において、前面部２と後面部３は開放されており、挿入部５のうち前面部２における部分である前面挿入部５２は、挿入部５のうち後面部３における部分である後面挿入部５３よりも、裾端部２ａに向かって長く形成されている、汗取りベストである。【選択図】図２
2010053485.tif 000002
【特許請求の範囲】
【請求項１】
上半身に着るための汗取りベストであって、
着衣した際、肩部を境に前側に配置される前面部と、
着衣した際、肩部を境に後側に配置される後面部と、
着衣する際に頭及び首を挿入するために、前記前面部から前記後面部にわたって形成された挿入部とを備え、
前記前面部と前記後面部は、前記肩部において繋がっており、
前記前面部と前記後面部は、脇部において開放されており、
前記挿入部のうち前記前面部における部分である前面挿入部は、前記挿入部のうち前記後面部における部分である後面挿入部よりも、裾端部に向かって長く形成されている、汗取りベスト。
【請求項２】
前記前面挿入部の前記裾端部に向かう長さは、前記前面部の長さの３分の１以上である、請求項１記載の汗取りベスト。
【請求項３】
前記脇部において、前記前面部と前記後面部の間を接続することが可能な接続部を備えた、請求項１記載の汗取りベスト。
【請求項４】
前記前面挿入部の襟ぐり部には、
前記裾端部に向かって垂直又は斜めに形成された切り込み部を有する、請求項１記載の汗取りベスト。
【請求項５】
前記前面部及び前記後面部は、一枚のタオル生地を２つ折りすることによって形成されている、請求項１〜４のいずれかに記載の汗取りベスト。
【発明の詳細な説明】
【技術分野】
【０００１】
本発明は、汗取りベストに関する。
【背景技術】
【０００２】
運動をすると、発汗するが、汗をそのまま放置すると風邪をひいたりすることがあるため、なるべく早くふき取る必要がある。
【０００３】
そのため、汗を吸い取ることが可能な吸湿性のある素材を用いて形成された運動着が提案されている（例えば、特許文献１参照。）。
【特許文献１】特開２００２−３２７３１６号公報
【発明の開示】
【発明が解決しようとする課題】
【０００４】
しかしながら、特許文献１のような特殊な素材を用いた場合、運動着の値段は必然的に高くなってしまう。
【０００５】
一方、運動着のデザインも近年凝ったものとなってきているため、このような特殊な素材を用いた場合、加工も難しくなり、さらに値段が高くなる傾向があった。
【０００６】
本発明は、安価で汗を吸い取ることが可能な汗取りベストを提供することを目的としている。
【課題を解決するための手段】
【０００７】
上記目的を達成するために、第１の本発明は、
上半身に着るための衣服であって、
着衣した際、肩部を境に前側に配置される前面部と、
着衣した際、肩部を境に後側に配置される後面部と、
着衣する際に頭及び首を挿入するために、前記前面部から前記後面部にわたって形成された挿入部とを備え、
前記前面部と前記後面部は、前記肩部において繋がっており、
前記前面部と前記後面部は、脇部において開放されており、
前記挿入部のうち前記前面部における部分である前面挿入部は、前記挿入部のうち前記後面部における部分である後面挿入部よりも、裾端部に向かって長く形成されている、汗取りベストである。
【０００８】
また、第２の本発明は、
前記前面挿入部の前記裾端部に向かう長さは、前記前面部の長さの３分の１以上である、第１の本発明の汗取りベストである。
【０００９】
また、第３の本発明は、
前記脇部において、前記前面部と前記後面部の間を接続することが可能な接続部を備えた、第１の本発明の汗取りベストである。
【００１０】
また、第４の本発明は、
前記前面挿入部の襟ぐり部には、
前記裾端部に向かって垂直又は斜めに形成された切り込み部を有する、第１の本発明の汗取りベストである。
【００１１】
また、第５の本発明は、
前記前面部及び前記後面部は、一枚のタオル生地を２つ折りすることによって形成されている、第１〜４のいずれかに記載の汗取りベストである。
【発明の効果】
【００１２】
本発明によれば、安価で汗を吸い取ることが可能な衣服を提供することが可能となる。
【発明を実施するための最良の形態】
【００１３】
以下、本発明の実施の形態の衣服について、図面を参照しながら説明する。
【００１４】
（実施の形態１）
図１は、本発明にかかる実施の形態１の汗取りベスト１の外観図である。
【００１５】
図１に示すように、本実施の形態１の汗取りベスト１は、ベスト形状であって、例えば、運動時にシャツ等の下に下着として着用して用いられるものである。
【００１６】
図１に示すように、本実施の形態１の汗取りベスト１は、着衣時に正面に配置される前面部２と、背面に配置される後面部３とを備えている。また、前面部２と後面部３の境界部分は、着衣時に肩を覆う肩部４であり、前面部２から後面部３にわたって、着脱時に頭を挿入又は抜くための挿入部５が形成されている。
【００１７】
更に、前面部２と後面部３の、それぞれの脇部２１、３１には、紐６、７が設けられており、この紐６、７を結ぶことによって汗取りベスト１のずれを抑制することが出来る。なお、図１では、右側の脇部にしか紐６、７は図示されていないが、左側の脇部にも設けられている。尚、この紐６、７が本発明の接続部の一例に相当する。
【００１８】
図２は、本実施の形態１の汗取りベスト１の展開図である。図２に示されている前面部２及び後面部３は、一枚のタオル生地によって形成されている。この一枚のタオル生地のうち、紐６、７が設けられていない２辺が、図１の着衣時の下側に配置される裾端部２ａ、３ａとなる。すなわち、本実施の形態の汗取りベスト１は、一枚のタオル生地が肩部４で２つ折りにされて形成されており、肩部４から裾端部２ａまでの長さと、肩部４から裾端部３ａまでの長さは、実質上同じである。なお、タオル生地は、着衣時に、パイルが多数形成されている面が、内側又は外側のいずれに向くように用いられてもよい。
【００１９】
本実施の形態１では、挿入部５は、図２に示すように前面部２及び後面部３に渡って、タオル生地が切り取られた部分であり、挿入部５の周囲は、切り取った周囲からタオル生地のパイルがほつれないように、バイアステープを用いて加工が施された襟ぐり５ａが形成されている。
【００２０】
また、挿入部５のうち、前面部２に形成された開放部分である前面挿入部５２の方が、後面部３に形成された開放部分である後面挿入部５３よりも面積が大きくなっている。また、襟ぐり５ａは、前面挿入部５２の周囲の前面襟ぐり５２ａと、後面挿入部５３の周囲の後面襟ぐり５３ａから構成されている。この前面襟ぐり５２ａの、裾端部２ａ方向の先端５２ｓから肩部４までの長さＬａは、前面部２の肩部４から裾端部２ａまでの長さＬ０の３分の１以上となっている。
【００２１】
このような本実施の形態１の汗取りベスト１の使用方法について以下に説明する。図３は、汗取りベスト１を着用した状態の斜視図である。
【００２２】
本実施の形態１の汗取りベスト１は、頭部を挿入部５に挿入し、紐６、７を結ぶことによって、素肌に着用される。そして、汗取りベスト１の上に、例えばＴシャツ８が着用される。尚、Ｔシャツ８は、二点鎖線で示されている。
【００２３】
この状態でユーザーが運動しても、汗取りベスト１がタオル生地であるため汗が吸い取られ、Ｔシャツ８には、あまり汗が吸収されない。
【００２４】
そして、汗を吸い取った汗取りベスト１を脱ぐ際、ユーザーはＴシャツ８を着たまま汗取りベスト１を脱ぐことが出来る。はじめに、ユーザーが左右の脇部で結ばれている紐６、７をほどき、その後、図４の背面からの図に示すように、後面挿入部５３の後面襟ぐり５３ａを掴み、Ｔシャツの襟ぐり８５と首の間から引き出す。
【００２５】
以上のような動作により、人前であっても、Ｔシャツを着たまま、汗取りベスト１を簡易に脱ぐことが出来るため、運動後、汗をかいた状態を解消することが出来る。
【００２６】
なお、本実施の形態では、汗取りベスト１を運動の際に用いる場合について説明したが、例えば、寝たきりの人を介護する場合等に用いることも出来る。両手を動かすことが不自由な患者の場合であっても、本実施の形態の汗取りベスト１では、両手を動かさずに下方に下げたまま、寝間着などの上着の襟ぐりから着脱することが可能となる。
【００２７】
また、乳児や幼児は寝ると多量の汗をかくため、寝間着を着替えさせたりする必要があるが、本実施の形態の汗取りベスト１を下着として着ることによって、寝間着を着替えさせる必要が無く、寝させたまま汗取りベストを引き抜くことが出来る。
【００２８】
このように、本実施の形態の汗取りベスト１は、スポーツから介護まで、乳児から老後まで利用できる。
【００２９】
また、本実施の形態の汗取りベスト１は、一枚のタオル生地を利用して作成されているため、安く作成することが出来る。
【００３０】
また、本実施の形態の汗取りベスト１は、Ｔシャツ等の下にインナーとして使用するため、デザインに凝る必要がなく、デザインのために複雑な形状や加工を施す必要がないので、コストを抑えることが可能となる。
【００３１】
また、汗取りベスト１は、脱いだ後は通常のタオルの要領で身体の外の汗等を拭うことも出来、通常のタオルと同様に使用することが出来る。更に、脇部が直線に形成されているため、洗濯の際に干しやすい。
【００３２】
また、本実施の形態で述べた汗取りベスト１の各寸法の具体例について述べる。図２中における肩部４の幅である背肩幅Ｌ１、前面部２の長さである着丈Ｌ０、挿入部５の肩部４に沿った幅である襟あきＬ２の組み合わせとしては、例えば成人用の場合には、下記の表１に示す例１〜例３の組み合わせの長さとすることが出来る。
【００３３】
【表１】
2010053485.tif 000003
【００３４】
また、本実施の形態１の汗取りベスト１の大きさの例としては、襟ぐり５ａは、頭回りよりも７〜１０ｃｍ大きく形成し、長さＬ０は、ウエスト丈より１０〜１５ｃｍ大きく形成することが出来る。
【００３５】
また、紐６の取り付け位置は、前面部２の脇部２１よりも５ｃｍ内側であって、裾端部２ａから１０ｃｍ上方に設定し、長さを２０ｃｍ、幅を１．５ｃｍと設定できる。尚、後面部２に設けられている紐７の位置も同様に設定することが出来る。
【００３６】
また、ＬａがＬ０の３分の１以上が好ましいという点から、先端５２Ｓの位置が設定されているが、鳩尾の２〜３ｃｍ上方という基準で設定しても良い。
【００３７】
尚、上記図１及び図２に示した汗取りベスト１の形状に限らず、図５及び図６に示すような形状の汗取りベスト９０であってもよい。図５は、汗取りベスト９０の正面図であり、図６は汗取りベスト９０の展開図である。
【００３８】
図５及び図６に示すように、汗取りベスト９０は、汗取りベスト１と同様に前面部２及び後面部３を有している。また、汗取りベスト９０の前面部２及び後面部３には、図２の紐６、７と同様の紐９６、９７が設けられているが、これらの紐９６、９７は、紐６、７と異なり表面側に取り付けられている。
【００３９】
また、汗取りベスト９０の挿入部９５も、汗取りベスト１と同様に前面挿入部９５２と後面挿入部９５３から構成されている。この前面挿入部９５２の周囲の前面襟ぐり９５２ａは、肩部９４から裾端部２ａに向かって直線に形成された第１前面襟ぐり部９５２ｂと、第１前面襟ぐり部９５２ｂの裾端部２ａ側の先端９５２ｃから裾端部２ａに向かって斜めに先端９５２ｓまで直線に形成された第２前面襟ぐり部９５２ｄから構成されている。一方、後面挿入部９５３の周囲の後面襟ぐり９５３ａは、角が丸められた矩形状に形成されている。
【００４０】
尚、この汗取りベスト９０においても、Ｌ０、Ｌ１、Ｌ２を上記（表１）の例１〜例３の寸法に設定することが出来る。また、紐９６の取り付け位置も前面部２の脇部２１よりも５ｃｍ内側であって、裾端部２ａから１０ｃｍ上方の位置に設けられており、長さを２０ｃｍ、幅を１．５ｃｍと設定できる。尚、後面部２に設けられている紐９７の位置も同様に設定することが出来る。
【００４１】
また、先端９５２ｓの位置は、鳩尾の２〜３ｃｍ上方という基準で設定しても良く、第１前面襟ぐり部９５２ｂの長さをＬａ１とし、第１前面襟ぐり部９５２ｂの先端９５２ｃから先端９５２ｓまでの肩部４と垂直な長さをＬａ２とすると、例えば上記例１の場合、Ｌａ１の長さを３ｃｍとし、Ｌａ１＋Ｌａ２の値を３０ｃｍとすることが出来る。
【００４２】
なお、本実施の形態１の汗取りベスト１の肩部４に、切り込みが形成されていても良い。図７は、このような切り込みが形成されている汗取りベスト１´の展開図である。図７に示すように、汗取りベスト１´の挿入部５´には、前面襟ぐり５２ａと後面襟ぐり５３ａの間から外側に向かって、肩部４に沿って形成された切り込み部５４が左右に設けられている。この切り込み部５４が形成されていることにより、首及び頭部の着脱がより行いやすくなる。同様に、図５に示した汗取りベスト９０の肩部４にも切り込み部が形成されていてもよい。
【００４３】
また、上記実施の形態の汗取りベスト１、１´、９０に、それぞれ紐６、７、紐９６、９７が設けられていなくても良いが、紐６、７、紐９６、９７が設けられていた方が、運動等の際に衣服がＴシャツ８内でずれることを低減することが出来るため、より好ましい。但し、上記実施の形態では、裾端部２ａ、２ｂの幅が肩部４の幅Ｌ１と同じ長さであり、裾端部２ａ、３ａの脇部２１、３１側にゆとりが生じるため、前面部２の裾端部２ａの右端２Ｒと、後面部３の裾端部３ａの右端３Ｒを重ね合わせ、前面部２の裾端部２ａの左端２Ｌと、後面部３の裾端部３ａの左端３Ｌを重ね合わせて、そのうえにＴシャツ等を着ることで、ずれを低減することが出来、紐で結ぶ必要性は少なくなる（図１及び図２参照）。
【００４４】
また、本実施の形態では、裾端部２ａ、３ａがウエストに配置される程度の長さに背丈（Ｌ０）が設定されているが、背丈（Ｌ０）を長くし、裾端部２ａ、３ａをズボンにいれることによって、汗取りベストがＴシャツ内でずれることをより低減出来、紐の必要性が少なくなる。更に、裾端部２ａの右端２Ｒと裾端部３ａの右端３Ｒを重ね合わせ、裾端部２ａの左端２Ｌと裾端部３ａの左端３Ｌを重ね合わせたうえで、ズボンに裾端部２ａ、３ａを挿入してもよい。
【００４５】
（実施の形態２）
以下に、本発明にかかる実施の形態２の汗取りベストについて説明する。なお、本実施の形態２の汗取りベストは、実施の形態１の汗取りベストと基本的な構成は同じであるが、挿入部の構成が異なっている。そのため、本相違点を中心に説明する。なお、実施の形態１と同様の構成については同一の符号を付している。
【００４６】
図８は、本実施の形態２の汗取りベスト１０の展開図である。図８に示すように、本実施の形態２の汗取りベスト１０の挿入部１５は、前面挿入部１５２と後面挿入部１５３とを有しているが、前面挿入部１５２の構成が、実施の形態１の前面挿入部５２と異なっている。
【００４７】
すなわち、実施の形態１の前面挿入部５２は、襟ぐりによって形成された開放部分によってのみ構成されていたが、本実施の形態２の前面挿入部１５２は、前面襟ぐり１５２ａと、前面襟ぐり１５２ａに形成された切り込み部１５２ｂとから構成されている。この切り込み部１５２ｂは、前面襟ぐり１５２ａの裾端部２ａ側の先端部１５２ｓから裾端部２ａに向かって、裾端部２ａに対して実質上垂直に形成されている。尚、本発明の前面挿入部の襟ぐり部の一例は、本実施の形態の前面挿入部１５２の前面襟ぐり１５２ａに相当する。また、本発明の切り込み部の一例は、本実施の形態の切り込み部１５２ｂに相当する。
【００４８】
本実施の形態２では、切り込み部１５２ｂの裾端部２ａ側の端１５２ｔから肩部４までの長さＬｂが、前面部２の長さＬ０の３分の１以上となっている。
【００４９】
以上のように構成することによって、汗取りベスト１０を脱ぐ際には、切り込み部１５２ｂによって頭部を抜くための空間が広くなるため、脱ぎやすい。更に、汗取りベスト１０を着ている時には、実施の形態１ほど襟ぐりを大きくする必要がないため、実施の形態１よりも首に近い場所までタオル生地で覆うことが可能となり、上に着るＴシャツ８（図３参照）の胸部分に汗が吸収されることを低減することが出来る。
【００５０】
なお、本実施の形態２では、裾端部２ａに対して垂直に切り込み部１５２ｂが形成されていたが、斜めに切り込み部が形成されていても良い。このような構成の汗取りベスト２０の展開図が図９（ａ）に示されている。
【００５１】
この汗取りベスト２０の挿入部２５は、前面挿入部２５２と後面挿入部２５３とを有しており、前面挿入部２５２は、前面襟ぐり２５２ａと、前面襟ぐり２５２ａの裾端部２ａ側の先端２５２ｓから形成された切り込み部２５２ｂとを有している。この切り込み部２５２ｂは、前面襟ぐり２５２ａの先端２５２ｓから裾端部２ａに向かって斜めに形成されている。ここで、斜めとは、切り込み部２５２ｂが、裾端部２ａに対して垂直に形成されていないことである。この切込み部２５２ｂが、本発明の斜めに形成された切込み部の一例に相当する。
【００５２】
また、この汗取りベスト２０では、切り込み部２５２ｂの裾端部２ａ側の端２５２ｔから肩部４までの長さＬｃが、前面部２の長さＬ０の３分の１以上となっている。
【００５３】
この図９（ａ）に示す汗取りベスト２０では、切り込み部２５２ｂの両側の襟ぐり部が上下に配置されることになり、上述した汗取りベスト１０よりも切り込み部の両側のタオル生地が開き難い構成となっている。図９（ｂ）は、図９（ａ）のＳ部拡大図である。この図９（ｂ）において、前面襟ぐり２５２ａの先端２５２ｓにおける切り込み部２５２ｂの上側に位置する部分が２５４、下側に位置する部分が２５５として示されている。このように切り込み部を斜めに形成することにより、切り込み部からタオル生地が両側に開きにくくなり、胸部分の汗を吸い取りやすくなる。
【００５４】
また、切り込み部は直線でなく、曲線であってもよく、このような構成の汗取りベスト３０の展開図を図１０に示す。この汗取りベスト３０は、切り込み部以外の構成は、汗取りベスト２０と同じである。図１０に示す汗取りベスト３０の挿入部３５が有している切り込み部３５２ｂは、図中右側に凸に湾曲し、裾端部２ａ側の先端３５２ｔは、前面襟ぐり２５２ａの先端２５２ｓよりも左側よりに配置されている。このように構成することにより、図９の汗取りベスト２０と同様に、切り込み部からタオル生地が両側に開きにくくなるため、汗を吸い取りやすくなる。なお、肩部４から先端３５２ｔまでの距離Ｌｄは、Ｌ０の３分の１以上になるように切り込み部は形成されている。なお、切り込み部の形状は、図１０と左右対称に設けられていてもよいし、右側に凸に湾曲した後に、左側に凸に湾曲するような形状であってもよい。
【００５５】
また、切り込みが複数本形成されている構成であってもよい。図１１に、このような構成の汗取りベスト４０の構成を示す。この汗取りベスト４０の構成は、切り込み部以外は汗取りベスト１０と同様である。図１１に示すように、汗取りベスト４０は、挿入部４５に３つの切り込み部を有している。この３つの切り込みのうち１つの切り込みは、図８と同様の切り込み部１５２ｂであり、他の２つの切り込みは、前面襟ぐり１５２ａの左右にそれぞれ形成された切り込み部４５２ｂ、４５２ｃである。なお、左右の切り込み部４５２ｂ、４５２ｃは、肩部４と平行には形成されておらず、肩部４方向に傾斜して形成されている。図１１のように構成することによって、反対に傾斜して形成する場合と比較して、重力によって生地がめくれることを低減することが出来る。このように、複数の切り込みを形成することによって、着脱時に頭部の出し入れが行いやすくなる。また、これら複数の切り込みの全部又は一部が湾曲して形成されていてもよい。また、重力によってめくれ難い程度の切り込みの長さの場合には、切り込み部４５２ｂ、４５２ｃを肩部４と実質上平行に形成してもよい。
【００５６】
また、切り込み部は、タオル生地を切断しているだけであるため、隙間がほとんど生じないが、本明細書では、説明のために切り込み部の隙間を大きく記載している。なお、切り込み部からタオル生地がほつれないように、バイアステープを用いてほつれ防止を施してもよい。
【００５７】
また、実施の形態２でも、実施の形態１と同様の寸法に設定することが出来る。また、実施の形態２の汗取りベスト１０、２０、３０についても、実施の形態１と同様に紐を設けない構成としてもよく、更に裾端部２ａ、３ａの位置をウエスト位置よりも下方に設定し、裾端部２ａ、３ａをズボンに挿入可能な構成としてもよい。
【００５８】
上記実施の形態では、Ｌｂ、Ｌｃ、Ｌｄの長さがＬ０の３分の１以上になるように、裾端部２ａ側の先端１５２ｔ、２５２ｔ、３５２ｔの位置が設定されているが、先端１５２ｓ、２５２ｓの位置を鳩尾の２〜３ｃｍ上方に設定してもよく、先端１５２ｔ、２５２ｔ、３５２ｔの位置を鳩尾の２〜３ｃｍ上方に設定することも可能である。
【００５９】
また、上記実施の形態１、２の汗取りベストでは、Ｌａ〜Ｌｄのそれぞれの長さがＬ０の長さの３分の１以上となっているが、３分の１以下であってもよい。要するに、Ｔシャツ等の上着を着た状態で、上着の襟ぐりと首の間から脱ぐことが可能な挿入部の大きさであればよい。
【００６０】
又、図５及び図６で説明した汗取りベスト９０にも切り込み部を形成してもよく、例えば、図１２の汗取りベスト９０´に示すように、図８の切り込み部１５２ｂと同様に、先端９５２ｓから裾端部２ａに向けて、裾端部２ａに対して垂直に切り込み部９５２ｅを形成してもよい。尚、先端９５２ｓの位置を鳩尾の２〜３ｃｍ上に設定してもよく、切込み部９５２ｅの裾端部２ａ側の先端９５２ｔの位置を鳩尾の２〜３ｃｍ上に設定することも可能である。また、先端９５２ｔから肩部４までの長さが、前面部２の長さＬ０（図６参照）の３分の１以上になるように、先端９５２ｔの位置が設定されていてもよい。
【００６１】
なお、上記実施の形態では、１枚のタオル生地を肩部で２つ折りにして用いていたが、前面部と後面部が別々の生地で作成され、肩部において接続されていても良い。
【００６２】
また、上記実施の形態では、タオル生地を用いていたが、汗を吸収することが出来る素材であれば、タオル生地に限らなくても良い。
【産業上の利用可能性】
【００６３】
本発明の汗取りベストによれば、安価で汗を吸い取ることが可能な効果を有し、Ｔシャツ等の下に着る汗取りベストなどとして有用である。
【図面の簡単な説明】
【００６４】
【図１】本発明にかかる実施の形態１における汗取りベスト１の外観図
【図２】本発明にかかる実施の形態１における汗取りベスト１の展開図
【図３】本発明にかかる実施の形態１における汗取りベスト１を着用した状態を示す図
【図４】本発明にかかる実施の形態１における汗取りベスト１を脱ぐときの動作を示す図
【図５】本発明にかかる実施の形態１の変形例における汗取りベスト９０の正面図
【図６】本発明にかかる実施の形態１の変形例における汗取りベスト９０の展開図
【図７】本発明にかかる実施の形態１の変形例における汗取りベスト１´の展開図
【図８】本発明にかかる実施の形態２における汗取りベスト１０の展開図
【図９（ａ）】本発明にかかる実施の形態２の変形例における汗取りベスト２０の展開図
【図９（ｂ）】（ａ）のＳ部拡大図
【図１０】本発明にかかる実施の形態２の変形例における汗取りベスト３０の展開図
【図１１】本発明にかかる実施の形態２の変形例における汗取りベスト４０の展開図
【図１２】本発明にかかる実施の形態２の変形例における汗取りベスト９０´の正面図
【符号の説明】
【００６５】
１、１０、２０、３０、４０  汗取りベスト
２  前面部
２ａ  裾端部
３  後面部
３ａ  裾端部
４  肩部
５、１５、２５、３５、４５  挿入部
６  、７  紐
８  Ｔシャツ
２１、３１  脇部
５２  前面挿入部
５２ａ  前面襟ぐり
５３  後面挿入部
５３ａ  後面襟ぐり
【図１】
2010053485.tif 000004
【図２】
2010053485.tif 000005
【図３】
2010053485.tif 000006
【図４】
2010053485.tif 000007
【図５】
2010053485.tif 000008
【図６】
2010053485.tif 000009
【図７】
2010053485.tif 000010
【図８】
2010053485.tif 000011
【図９（ａ）】
2010053485.tif 000012
【図９（ｂ）】
2010053485.tif 000013
【図１０】
2010053485.tif 000014
【図１１】
2010053485.tif 000015
【図１２】
2010053485.tif 000016